(57)【特許請求の範囲】
【請求項１】
それぞれアドレスが設定された操作端末器及び制御端末器を２線式の信号線を介して伝送ユニットに接続し時分割多重の伝送信号にてデータの送受信を行い、伝送ユニットは、アドレスデータを含む伝送信号を信号線に送出することによって操作端末器及び制御端末器を個別にアクセスし、伝送信号に同期して設定した信号返送期間に、監視入力のあった操作端末器からの監視データを受信すると監視データに基づいて制御データを生成し、監視データを発生した操作端末器とアドレスによる対応関係が予め設定されている制御端末器に対して制御データを伝送して制御端末器に接続された負荷を制御する遠隔監視制御システムに用いられ、負荷の制御時刻及び制御内容を含むデータを入力する入力手段と、入力手段で入力されるデータに基づいて負荷の制御プログラムを作成するプログラム作成手段と、作成された制御プログラム及びサマータイムが適用されるサマータイム期間のデータを記憶する記憶手段と、現在時刻を計時する計時手段と、信号線を介して伝送ユニットとの間で伝送信号を送受信する伝送信号送受信手段と、計時手段から出力される現在時刻データと記憶手段から読み出された制御プログラムに基づいて監視データを逐次発生するとともに伝送信号送受信手段により発生した監視データを信号線に送出させるタイマ制御手段と、計時手段で計時する現在時刻が記憶手段に記憶されたサマータイム期間内である場合に、前記現在時刻をサマータイムに合わせて修正するサマータイム修正手段とを備えたことを特徴とする遠隔監視制御システムのプログラムタイマユニット。
【請求項２】
少なくとも入力手段で入力可能なデータの項目、並びに計時手段で計時する現在時刻を表示する表示手段を備えたことを特徴とする請求項１記載の遠隔監視制御システムのプログラムタイマユニット。
【請求項３】
表示手段は、液晶デバイスを有する液晶表示部と、液晶表示部を照明するバックライト部とからなることを特徴とする請求項２記載の遠隔監視制御システムのプログラムタイマユニット。
【請求項４】
表示手段は、液晶表示部における表示が所定時間を経過した後にバックライト部又はバックライト部と液晶表示部の動作を停止させることを特徴とする請求項３記載の遠隔監視制御システムのプログラムタイマユニット。
【請求項５】
人体の存否を検知する人体検知手段を備え、表示手段は、人体検知手段により人体が検知された場合に表示を行うことを特徴とする請求項２記載の遠隔監視制御システムのプログラムタイマユニット。
【請求項６】
地域毎の日の入り時刻並びに日の出時刻のデータが記憶手段に記憶され、プログラム作成手段は、入力手段により指定される地域の日の入り時刻並びに日の出時刻のデータを記憶手段から読み出し、読み出したデータに基づいて制御プログラムを作成することを特徴とする請求項１記載の遠隔監視制御システムのプログラムタイマユニット。
【請求項７】
プログラム作成手段は、記憶手段から読み出した日の入り時刻並びに日の出時刻のデータを所定の範囲内で調整可能としたことを特徴とする請求項６記載の遠隔監視制御システムのプログラムタイマユニット。
【請求項８】
外部機器との間でデータ通信を行って制御プログラムを取り込み、取り込んだ制御プログラムを記憶手段に記憶させるデータ通信手段を備えたことを特徴とする請求項１記載の遠隔監視制御システムのプログラムタイマユニット。
【請求項９】
記憶手段に記憶した制御プログラムを消去して初期化する初期化手段を備えたことを特徴とする請求項１記載の遠隔監視制御システムのプログラムタイマユニット。
【請求項１０】
プログラム作成手段は、特定の日時に対して負荷の制御時刻及び制御内容が設定される特日プログラムを作成するとともに、入力手段から入力される特日変更コマンドデータに応じて翌日の制御プログラムを特日プログラムに変更することを特徴とする請求項１記載の遠隔監視制御システムのプログラムタイマユニット。
【請求項１１】
制御プログラムの不動作の原因を判定して判定結果を表示手段に表示させるエラー判定手段を備えたことを特徴とする請求項１記載の遠隔監視制御システムのプログラムタイマユニット。
【請求項１２】
計時手段による現在時刻の計時を外部で計時する時刻に同期させるための同期信号が入力される同期信号入力手段と、同期信号入力手段に入力する同期信号を外部に出力する同期信号出力手段と、計時手段にて計時する現在時刻を同期信号入力手段から入力される同期信号に同期させる現在時刻同期手段とを備えたことを特徴とする請求項１記載の遠隔監視制御システムのプログラムタイマユニット。
【請求項１３】
同期信号出力手段の出力電流を制限する電流制限手段を備えたことを特徴とする請求項１２記載の遠隔監視制御システムのプログラムタイマユニット。
【請求項１４】
同期信号出力手段から同期信号が出力されたことを検出する同期信号検出手段を備えたことを特徴とする請求項１２記載の遠隔監視制御システムのプログラムタイマユニット。
【請求項１５】
表示手段は、同期信号検出手段にて同期信号を検出したか否かを表示することを特徴とする請求項１４記載の遠隔監視制御システムのプログラムタイマユニット。
【請求項１６】
外部からの電源供給が停止した場合に計時手段に電源を供給する非常電源供給手段を備えたことを特徴とする請求項１記載の遠隔監視制御システムのプログラムタイマユニット。
【請求項１７】
非常電源供給手段の出力電圧を検出して計時手段における現在時刻の計時が正常に行われているか否かを判定する計時判定手段を備えたことを特徴とする請求項１６記載の遠隔監視制御システムのプログラムタイマユニット。
【請求項１８】
記憶手段は不揮発性メモリからなることを特徴とする請求項１記載の遠隔監視制御システムのプログラムタイマユニット。
【請求項１９】
記憶手段から読み出された制御プログラムに基づいて監視データを逐次発生するとともに伝送信号送受信手段により発生した監視データを信号線に送出させて制御プログラムをシミュレーションするシミュレーション手段を備えたことを特徴とする請求項１記載の遠隔監視制御システムのプログラムタイマユニット。
【請求項２０】
記憶手段に記憶された制御プログラムをコピーするコピー手段を備えたことを特徴とする請求項１記載の遠隔監視制御システムのプログラムタイマユニット。
【発明の詳細な説明】
【０００１】
【発明の属する技術分野】
本発明は、時分割多重伝送方式により伝送信号を信号線に伝送し、この伝送信号を用いて監視入力に応じた負荷制御を可能とした遠隔監視制御システムに用いられ、週間及び年間における負荷制御の設定時刻や制御内容等のプログラムにしたがって負荷を制御する遠隔監視制御システムのプログラムタイマユニットに関するものである。
【０００２】
【従来の技術】
従来から、図１９に示す構成の遠隔監視制御システムが知られている。この遠隔監視制御システムでは、伝送ユニット３０に接続された２線式の信号線Ｌｓに複数台ずつの操作端末器３１および制御端末器３２が接続される。図示例では操作端末器３１として、個別スイッチ３１ａ、パターンスイッチ３１ｂが設けられる。各操作端末器３１および各制御端末器３２にはそれぞれアドレスが設定されており、伝送ユニット３０はアドレスを用いて操作端末器３１および制御端末器３２を識別する。個別スイッチ３１ａとパターンスイッチ３１ｂとはそれぞれ監視入力を発生させるスイッチＳａ，Ｓｂを備え、制御端末器３２は負荷（図示例では照明負荷Ｌ）を制御するリレーを内蔵する。また、操作端末器３１には照明負荷Ｌの動作状態を確認するための発光ダイオードよりなる確認灯（図示せず）が設けられている。ここに、リレーには一般にラッチング型のものが用いられ、制御端末器３２がリレーを動作させる際にはリレーにパルス的に電源を供給する。制御端末器３２はリレーを外部に持つ形式のものもあり、この場合には別途に設けたトランスからリレーにパルス的に給電する。
【０００３】
伝送ユニット３０は信号線Ｌｓに対して、図２０（ａ）に示すフォーマットの伝送信号Ｖｓを送出する。伝送信号Ｖｓは、信号送出開始を示す同期信号ＳＹ、伝送信号Ｖｓのモードを示すモードデータＭＤ、操作端末器３１や制御端末器３２を各別に呼び出すためのアドレスデータＡＤ、照明負荷Ｌを制御する制御データＣＤ、伝送誤りを検出するためのチェックサムデータＣＳ、操作端末器３１や制御端末器３２からの返送信号（監視データ）を受信するタイムスロットである信号返送期間ＷＴよりなる双極性（±２４Ｖ）の時分割多重信号であり、パルス幅変調によってデータが伝送される（図２０（ｂ））。各操作端末器３１および各制御端末器３２では、信号線Ｌｓを介して受信した伝送信号Ｖｓにより伝送されたアドレスデータＡＤが、各操作端末器３１あるいは各制御端末器３２においてあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓの線間を開放した状態と低インピーダンスを挿入した状態とで表される電流変化による２値信号）で返送する。
【０００４】
伝送ユニット３０から所望の操作端末器３１あるいは制御端末器３２にデータを伝送する場合には、モードデータＭＤを制御モードとし、操作端末器３１あるいは制御端末器３２に設定されたアドレスをアドレスデータＡＤとする伝送信号Ｖｓを送出し、この伝送信号Ｖｓを信号線Ｌｓに送出すれば、アドレスデータＡＤに一致するアドレスを有した操作端末器３１または制御端末器３２が制御データＣＤを受け取り、信号返送期間ＷＴに監視データを返送する。伝送ユニット３０では送出した制御データＣＤと信号返送期間ＷＴに受信した監視データとの関係によって制御データＣＤが所望の操作端末器３１または制御端末器３２に伝送されたことを確認する。制御端末器３２は受け取った制御データＣＤに従って照明負荷Ｌを制御するための負荷制御信号を出力し、操作端末器３１では受け取った制御データＣＤに従って照明負荷Ｌの動作確認表示を行なうための監視信号を出力する。
【０００５】
一方、伝送ユニット３０は通常時にはモードデータＭＤをダミーモードとした伝送信号Ｖｓを一定時間間隔で送出しており（常時ポーリング）、操作端末器３１においてスイッチＳａ，Ｓｂの操作に伴う監視入力が発生すると、操作端末器３１は伝送ユニット３０に対して監視入力の発生を伝送しようとする。すなわち、この操作端末器３１はダミーモードの伝送信号Ｖｓの同期信号ＳＹに同期させて図２０（ｃ）のような割込信号を発生させ、同時に割込フラグを設定して伝送ユニット３０との以後の情報授受に備える。伝送ユニット３０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器３１では、割込ポーリングモードの伝送信号のアドレスデータＡＤの上位４ビットが操作端末器３１に設定されているアドレスの上位４ビットに一致するときに、信号返送期間ＷＴにアドレスの下位の半数のビットを伝送ユニット３０に返送する。このように、伝送ユニット３０は割込信号を発生した操作端末器３１を１６個ずつまとめて探すので、比較的短い時間で操作端末器３１を発見することができる。
【０００６】
伝送ユニット３０が割込信号を発生した操作端末器３１のアドレスを獲得するとモードデータＭＤを監視モードとし、獲得したアドレスデータＡＤを持つ伝送信号Ｖｓを信号線Ｌｓに送出する。この伝送信号Ｖｓに対して操作端末器３１は伝送しようとする情報を信号返送期間ＷＴに返送する。最後に、伝送ユニット３０は割込信号を発生した操作端末器３１に対して割込リセットを指示する信号を送出し、操作端末器３１の割込フラグを解除する。以上のようにして、操作端末器３１から伝送ユニット３０への情報伝送は、伝送ユニット３０から操作端末器３１への４回の信号伝送（ダミーモード、割込ポーリングモード、監視モード、割込リセット）によって完了する。伝送ユニット３０が所望の制御端末器３２の動作状態を知ろうとするときには、モードデータＭＤを監視データとした伝送信号を送出するだけでよい。
【０００７】
上述の動作を簡単にまとめる。まず、操作端末器３１においてスイッチＳａ，Ｓｂの操作に伴う監視入力が発生すると、操作端末器３１から監視入力に対応した監視データを伝送ユニット３０に返送し、伝送ユニット３０が制御端末器３２に制御データＣＤを伝送すると、制御端末器３２は負荷制御信号を出力して照明負荷Ｌを制御する。ここで、制御端末器３２には負荷監視入力が与えられ、負荷監視入力に対応する監視データを伝送ユニット３０に返送し、返送された監視データを操作端末器３１に伝送する。この伝送信号によって操作端末器３１では監視信号を出力する。監視出力は通常は確認灯の点灯・消灯に用いられる。
【０００８】
ところで、各操作端末器３１において最大４回路の監視入力を受け付けることを可能とし（個別スイッチ３１ａには最大４個のスイッチＳａを設けることができる）、また各制御端末器３２において最大４回路の照明負荷Ｌを接続することを可能とするために、伝送信号ＶｓのアドレスデータＡＤにはアドレスを拡張する２ビットの負荷番号が設けられている。つまり、各操作端末器３１および各制御端末器３２には最大４個ずつのアドレスが設定可能になっている。各操作端末器３１および各制御端末器３２に設定される４個のアドレスのうち負荷番号を除く部分は端末器の種別（操作端末器３１か制御端末器３２かなどの種別）を表す部分とチャンネル（対応関係を持つ操作端末器３１と制御端末器３２とは同一チャンネルが設定される）を表す部分とから構成される。言い換えると、各スイッチＳａ，Ｓｂおよび各照明負荷Ｌにはそれぞれ個別のアドレスが付与されていることになる。また、互いに一対一に対応する個別スイッチ３１ａと制御端末器３２とを同チャンネルに設定することで対応関係がわかりやすくなっている。なお、以下の説明では個別スイッチ３１ａで各照明負荷Ｌを個別に制御することを個別制御と呼ぶことにする。
【０００９】
ところで、この種の遠隔監視制御システムでは、パターンスイッチ３１ｂのスイッチＳｂと照明負荷Ｌとのアドレスの対応関係を伝送ユニット３０で管理しているから、伝送ユニット３０において１回路のスイッチＳｂのアドレスに複数回路の照明負荷Ｌのアドレスを関係データとして対応付けておけば、１回路のスイッチＳｂで複数回路の照明負荷Ｌを一括して制御することが可能である。このような一括制御にはグループ制御とパターン制御とがある。グループ制御では複数の負荷を同じ制御状態に制御し、パターン制御では複数の負荷をあらかじめ個々に設定した制御状態に制御する。グループ制御やパターン制御は、照明負荷Ｌを制御するときにとくに有効であって、オフィス空間のように多数の照明負荷が配列されているような場所で、複数の照明負荷を一斉に点灯・消灯させる際にグループ制御やパターン制御を利用することができる。図示例ではスイッチＳｂを備えたパターンスイッチ３１ｂを示しているが、グループ制御用の端末器であるグループスイッチは示していない。ただし、パターン制御やグループ制御では、一括制御用に定められている操作用アドレスを用いる点を除けば他の操作端末器と同様である。
【００１０】
上述のように、パターン制御を行なうためには伝送ユニット３０においてパターンスイッチ３１ｂに設けたスイッチＳｂのアドレスに複数回路の照明負荷Ｌのアドレスを対応付けて登録しておく必要があり、この種の設定操作をパターン設定と称している。グループ制御の場合も同様であるから、以下では、グループ制御を行なう設定操作をグループ設定と呼ぶ。
【００１１】
ところで、遠隔監視制御システムは、照明負荷Ｌを制御する制御モードと、パターン設定やグループ設定を行なう設定モードとの２つの動作モードを有している。つまり、遠隔監視制御システムを動作させると、伝送ユニット３０は、まず通常の制御モードになり、ダミーモードの伝送信号を信号線Ｌｓに送出する。割込信号がなければ、そのままダミーモードによる伝送信号を繰り返して発生する常時ポーリングを行なう。一方、割込信号があると、操作端末器３１を特定して操作端末器３１からの要求を取り込む。ここで、動作モードの変更が要求されていなければ、現状の動作モードを判別し、制御モードであれば照明負荷Ｌを制御し、設定モードであればパターン設定ないしグループ設定を行なう。また、動作モードの変更が要求されているときには、要求内容に応じて動作モードを変更する。
【００１２】
設定モードでパターン設定を行なうには、所望のパターンスイッチ３１ｂのスイッチＳｂを操作し、次に、そのスイッチＳｂによる制御対象となる照明負荷Ｌに対応付けられているスイッチＳａを操作するのである。ここに、各スイッチＳａと照明負荷Ｌとの関係は先に設定されていることが前提である。このような手順によりスイッチＳａ操作に応じた照明負荷Ｌの状態が伝送ユニット３０に関係データとして取り込まれ、１個のスイッチＳｂに複数の照明負荷Ｌの状態が対応付けられるのである。グループ設定もパターン設定とほぼ同様である。
【００１３】
一方、この種の遠隔監視制御システムでは、操作端末器３１の一種であるパターン設定器（図示せず）を用いることもある。パターン設定器は、１台の装置に複数台の操作端末器３１を設けたものに相当し、多数のスイッチを備えている（例えば、６４回路分のスイッチを備え、各スイッチで４回路分ずつの操作が可能となるように別のスイッチで切替選択する構成になっている。したがって、２５６回路の操作が可能である）。各スイッチはアドレスを割り付けることによって、任意の操作端末器３１のスイッチとして用いることができるようになっている。
【００１４】
パターン設定器を用いるときには、パターンスイッチとして割り付けたスイッチを選択した後に、個別スイッチとして割り付けたスイッチの操作によって各照明負荷Ｌの制御状態を設定して関係データを作成し、この関係データを伝送ユニット３０に転送する。つまり、パターン設定器を設置している場所で関係データを作成することができるから、個別スイッチ３１ａとパターンスイッチ３１ｂとを用いてパターン設定を行なう場合に比較すると、作業が簡単になる。
【００１５】
端末器としては、照明負荷Ｌの光出力を調節可能な調光器を内蔵した調光制御端末器３２ｃや、調光制御端末器３２ｃを用いた場合の調光量を指示するための調光操作端末器３１ｃなども用いることができる。さらには電動カーテンや電動シャッタのような電動機を負荷とする制御端末器およびその制御端末器と対になる操作端末器を用いる場合もある。
【００１６】
ところで、上記従来の遠隔監視制御システムにおいては、個別スイッチ３１ａやパターンスイッチ３１ｂの操作で照明負荷Ｌを点滅する代わりに、予め設定された時刻に自動的に照明負荷Ｌを点滅するような負荷制御（タイマ制御）を行うためのプログラムタイマユニット３５が設置される場合がある。このプログラムタイマユニット３５は、一週間の曜日毎に負荷制御の入、切時刻並びに個別制御やグループ制御あるいはパターン制御のような制御内容等を指定するプログラムが記録され、プログラムの設定時刻データを現在時刻データと比較し、両時刻データが一致したときに、内蔵する出力用リレーを開閉することで無電圧の接点信号を出力する。プログラムタイマユニット３５の複数の接点信号出力端子には各々接点入力端末器３６の入力端子が接続されており、接点入力端末器３６ではプログラムタイマユニット３５から出力される接点信号に応じた監視データを伝送ユニット３０に伝送し、伝送ユニット３０が上記監視データに応じた制御データを制御端末器３２に伝送することによって、設定時刻にプログラムの制御内容に応じた負荷制御が行われる。なお、プログラムタイマユニット３５及び接点入力端末器３６にはリモコントランス３７が接続されており、このリモコントランス３７にて交流電源１００Ｖを２４Ｖに降圧して動作電圧が供給されている。
【００１７】
【発明が解決しようとする課題】
しかしながら、上記従来のプログラムタイマユニット３５をシステムに組み込むには接点入力端末器３６が必要であり、コスト的に高くつくとともに設置スペースが大きくなってしまうという問題がある。
【００１８】
本発明は上記問題に鑑みて為されたものであり、その目的とするところは、コスト並びに設置スペースの削減が図れる遠隔監視制御システムのプログラムタイマユニットを提供することにある。
【００１９】
【課題を解決するための手段】
請求項１の発明は、上記目的を達成するために、それぞれアドレスが設定された操作端末器及び制御端末器を２線式の信号線を介して伝送ユニットに接続し時分割多重の伝送信号にてデータの送受信を行い、伝送ユニットは、アドレスデータを含む伝送信号を信号線に送出することによって操作端末器及び制御端末器を個別にアクセスし、伝送信号に同期して設定した信号返送期間に、監視入力のあった操作端末器からの監視データを受信すると監視データに基づいて制御データを生成し、監視データを発生した操作端末器とアドレスによる対応関係が予め設定されている制御端末器に対して制御データを伝送して制御端末器に接続された負荷を制御する遠隔監視制御システムに用いられ、負荷の制御時刻及び制御内容を含むデータを入力する入力手段と、入力手段で入力されるデータに基づいて負荷の制御プログラムを作成するプログラム作成手段と、作成された制御プログラム及びサマータイムが適用されるサマータイム期間のデータを記憶する記憶手段と、現在時刻を計時する計時手段と、信号線を介して伝送ユニットとの間で伝送信号を送受信する伝送信号送受信手段と、計時手段から出力される現在時刻データと記憶手段から読み出された制御プログラムに基づいて監視データを逐次発生するとともに伝送信号送受信手段により発生した監視データを信号線に送出させるタイマ制御手段と、計時手段で計時する現在時刻が記憶手段に記憶されたサマータイム期間内である場合に、前記現在時刻をサマータイムに合わせて修正するサマータイム修正手段とを備えたことを特徴とし、タイマ制御手段が逐次発生する監視データを伝送信号送受信手段により信号線に送出させて伝送ユニットに伝送することができるから、接点入力端末器を用いる必要がなくなってコスト並びに設置スペースの削減が図れ、さらに、自動的にサマータイムに対応できて使い勝手が向上する。
【００２０】
請求項２の発明は、請求項１の発明において、少なくとも入力手段で入力可能なデータの項目、並びに計時手段で計時する現在時刻を表示する表示手段を備えたことを特徴とし、表示手段の表示を見ながらデータを入力できるために入力手段によるデータの入力作業が容易になる。
【００２１】
請求項３の発明は、請求項２の発明において、表示手段は、液晶デバイスを有する液晶表示部と、液晶表示部を照明するバックライト部とからなることを特徴とし、表示手段の小型化が可能であり、且つバックライト部で照明することにより液晶表示部の表示が見やすくなる。
【００２２】
請求項４の発明は、請求項３の発明において、表示手段は、液晶表示部における表示が所定時間を経過した後にバックライト部又はバックライト部と液晶表示部の動作を停止させることを特徴とし、液晶表示部及びバックライト部における電力消費を抑えて省エネ化が図れる。
【００２３】
請求項５の発明は、請求項２の発明において、人体の存否を検知する人体検知手段を備え、表示手段は、人体検知手段により人体が検知された場合に表示を行うことを特徴とし、表示手段における電力消費を抑えて省エネ化が図れる。
【００２４】
請求項６の発明は、請求項１の発明において、地域毎の日の入り時刻並びに日の出時刻のデータが記憶手段に記憶され、プログラム作成手段は、入力手段により指定される地域の日の入り時刻並びに日の出時刻のデータを記憶手段から読み出し、読み出したデータに基づいて制御プログラムを作成することを特徴とし、明るさセンサ等の他の機器を追加することなしに日の出時刻及び日の入り時刻に応じた負荷制御が可能となり、コスト並びに設置スペースの削減が図れる。しかも、入力手段により地域を指定するだけで当該地域の日の出時刻及び日の入り時刻に応じた制御プログラムが作成されるから、使い勝手が向上する。
【００２５】
請求項７の発明は、請求項６の発明において、プログラム作成手段は、記憶手段から読み出した日の入り時刻並びに日の出時刻のデータを所定の範囲内で調整可能としたことを特徴とし、負荷制御の時刻を日の入り時刻並びに日の出時刻から容易にずらすことができて制御プログラムの作成作業が簡素化できる。
【００２８】
請求項８の発明は、請求項１の発明において、外部機器との間でデータ通信を行って制御プログラムを取り込み、取り込んだ制御プログラムを記憶手段に記憶させるデータ通信手段を備えたことを特徴とし、パーソナルコンピュータのような外部機器で作成した制御プログラムを記憶手段に記憶させることができ、制御プログラムの作成作業が簡素化できる。
【００２９】
請求項９の発明は、請求項１の発明において、記憶手段に記憶した制御プログラムを消去して初期化する初期化手段を備えたことを特徴とし、複数の制御プログラムを個々に消去する手間が省けて制御プログラムの作成作業が簡素化できる。
【００３０】
請求項１０の発明は、請求項１の発明において、プログラム作成手段は、特定の日時に対して負荷の制御時刻及び制御内容が設定される特日プログラムを作成するとともに、入力手段から入力される特日変更コマンドデータに応じて翌日の制御プログラムを特日プログラムに変更することを特徴とし、特日プログラムの作成作業が簡素化できる。
【００３１】
請求項１１の発明は、請求項１の発明において、制御プログラムの不動作の原因を判定して判定結果を表示手段に表示させるエラー判定手段を備えたことを特徴とし、制御プログラムが不動作になった場合にその原因を早急に知ることができる。
【００３２】
請求項１２の発明は、請求項１の発明において、計時手段による現在時刻の計時を外部で計時する時刻に同期させるための同期信号が入力される同期信号入力手段と、同期信号入力手段に入力する同期信号を外部に出力する同期信号出力手段と、計時手段にて計時する現在時刻を同期信号入力手段から入力される同期信号に同期させる現在時刻同期手段とを備えたことを特徴とし、計時手段で計時される現在時刻の確度が高くなり、さらに、他のプログラムタイマユニットとの間に時間のずれが生じるのを防ぐことができる。
【００３３】
請求項１３の発明は、請求項１２の発明において、同期信号出力手段の出力電流を制限する電流制限手段を備えたことを特徴とし、同期信号を伝送する信号線の短絡などにより過大な電流が流れるのを防ぐことができる。
【００３４】
請求項１４の発明は、請求項１２の発明において、同期信号出力手段から同期信号が出力されたことを検出する同期信号検出手段を備えたことを特徴とし、信号線の短絡により同期信号が伝送されないといった問題が早期に発見できる。
【００３５】
請求項１５の発明は、請求項１４の発明において、表示手段は、同期信号検出手段にて同期信号を検出したか否かを表示することを特徴とし、同期信号検出手段の検出結果が容易に判断できる。
【００３６】
請求項１６の発明は、請求項１の発明において、外部からの電源供給が停止した場合に計時手段に電源を供給する非常電源供給手段を備えたことを特徴とし、外部からの電源供給が再開したときに現在時刻を調整する必要が無く、使い勝手が向上する。
【００３７】
請求項１７の発明は、請求項１６の発明において、非常電源供給手段の出力電圧を検出して計時手段における現在時刻の計時が正常に行われているか否かを判定する計時判定手段を備えたことを特徴とし、外部からの電源供給停止中に計時手段による計時が確実に行われているか否かが判断できる。
【００３８】
請求項１８の発明は、請求項１の発明において、記憶手段は不揮発性メモリからなることを特徴とし、外部からの電源供給が停止した場合でも制御プログラムを保持することができる。
【００３９】
請求項１９の発明は、請求項１の発明において、記憶手段から読み出された制御プログラムに基づいて監視データを逐次発生するとともに伝送信号送受信手段により発生した監視データを信号線に送出させて制御プログラムをシミュレーションするシミュレーション手段を備えたことを特徴とし、制御プログラムのシミュレーションを行ってプログラムのミスの修正や変更等が容易に行える。
【００４０】
請求項２０の発明は、請求項１の発明において、記憶手段に記憶された制御プログラムをコピーするコピー手段を備えたことを特徴とし、制御プログラムの作成作業が簡素化できる。
【００４３】
【発明の実施の形態】
以下、図面を参照して本発明の実施形態を詳細に説明する。
【００４４】
（実施形態１）
図１に本実施形態のブロック図を示す。本実施形態は、負荷の制御時刻及び制御内容を含むデータを入力する入力手段たる操作スイッチ部１と、操作スイッチ部１で入力されるデータに基づいて負荷の制御プログラムを作成するプログラム作成手段たるマイクロコンピュータ（以下、「マイコン」と略す）２と、作成された制御プログラムを記憶する記憶手段たるメモリ３と、現在時刻を計時する計時手段たるリアルタイムクロック４と、信号線Ｌｓを介して伝送ユニット３０との間で伝送信号Ｖｓを送受信する伝送信号送受信手段たる伝送信号送受信回路５と、リモコントランス３７より供給される２４Ｖの交流電圧からマイコン２を含む各部の動作電源を作成する電源回路６と、停電等により電源回路６からの電源供給が停止した場合にリアルタイムクロック４に動作電源を供給するバックアップ回路部７と、少なくとも操作スイッチ部１で入力可能なデータの項目、並びにリアルタイムクロック４で計時する現在時刻を表示する液晶表示部８と、マイコン２に制御されて液晶表示部８を駆動する液晶ドライバ９と、液晶表示部８を背面側から照明するバックライト部１０と、リアルタイムクロック４による現在時刻の計時を外部で計時する時刻に同期させるための同期信号が入力される同期信号入力部１１と、同期信号入力部１１に入力する同期信号を外部に出力する同期信号出力部１２とを備え、タイマ制御手段たるマイコン２が、リアルタイムクロック４から出力される現在時刻データとメモリ３から読み出した制御プログラムに基づいて監視データを逐次発生するとともに発生した監視データを伝送信号送受信回路５により信号線Ｌｓに送出させるものである。
【００４５】
操作スイッチ部１は押操作の復帰力としてゴムの弾性を利用したいわゆるラバースイッチを用いたキーマトリクスよりなる。このキーマトリクスには、図２に示すように、それぞれ押操作されるモードキーＫ１、クリアキーＫ２、設定キーＫ３、アップキーＫ４、ダウンキーＫ５、戻りキーＫ６、特日１動作キーＫ７、特日２動作キーＫ８、タイマ切キーＫ９、サマータイム設定キーＫ１０、バックライトキーＫ１１が設けられており、押操作された場合に各キーＫ１〜Ｋ１１に対応するマイコン２の入力ポートに信号が入力される。
【００４６】
メモリ３は電気的に書き換え可能な不揮発性の半導体メモリ（例えば、ＥＥＰＲＯＭなど）からなり、マイコン２の動作用プログラムの他に後述する制御プログラムや地域毎の日の出時刻及び日の入り時刻のデータ等を記憶し、停電等により電源供給が停止しても記憶内容を保持することができる。また、伝送信号送受信回路５は信号線端子Ｔ１，Ｔ１に接続された遠隔監視制御システムの信号線Ｌｓを介して伝送ユニット３０との間でのデータ伝送を可能とする回路である。
【００４７】
電源回路６は電源端子Ｔ２，Ｔ２を介してリモコントランス３７から供給される交流電圧を降圧した後に整流平滑した直流電圧を安定化することにより、マイコン２等の動作電圧（例えば、５Ｖの直流電圧Ｖcc）を作成して出力するものである。
【００４８】
また、バックアップ回路部７は図６に示すような回路構成を有し、電源回路６の出力電圧Ｖccで常時充電される容量の大きな電解コンデンサＣＡを具備し、停電等により電源回路６からの電源供給が停止したときに電解コンデンサＣＡを電源として動作する３端子レギュレータＲＧによりリアルタイムクロック４に動作電源を供給する。このとき、３端子レギュレータＲＧからはリアルタイムクロック４の動作電圧を下回らず、且つ消費電流を抑えることができる程度の電圧、例えば正常時の電圧Ｖcc（＝５Ｖ）の半分（＝２．５Ｖ）の電圧が出力されるようになっている。このバックアップ回路部７により、約２４時間までの停電に対してはリアルタイムクロック４における現在時刻の計時を継続させることができ、復電時にリアルタイムクロック４における現在時刻を調整する必要が無く、使い勝手が向上するものである。なお、バックアップ回路部７は本実施形態の回路構成に限定されるものではなく、例えば電解コンデンサＣＡの代わりにリチウム電池を用いてもよい。リチウム電池は電解コンデンサＣＡに比較して電流容量が大きいから、さらに長時間に渡って現在時刻の計時を継続させることが可能であり、現在時刻の確度も向上できるものである。
【００４９】
ところで、バックアップ回路部７にはオペアンプＯＰからなる非反転増幅回路を用いて電解コンデンサＣＡの両端電圧を検出する電圧検出回路７ａが設けてある。この電圧検出回路７ａから出力される検出信号がマイコン２の入力ポートに入力されており、マイコン２では復電後に検出信号のレベルを基準値と比較することでリアルタイムクロック４による計時が確実に行われていたか否かを判定している。ここで、停止状態から電源供給が再開されるとリアルタイムクロック４は初期状態にリセットされてしまい、現在時刻と大きくずれた時刻を計時することになるから、リアルタイムクロック４の現在時刻と比較して最近一ヶ月以内のデータだけをメモリ３に保存しておく場合、現在時刻が初期化されることで全てのデータが消去されてしまうことになる。そこで、本実施形態ではマイコン２が毎月初めにそのときの年月データをメモリ３に記憶させておき、電圧検出回路７ａの検出信号レベルが基準値を下回った場合にはメモリ３に記憶させておいた年月データを用いてリアルタイムクロック４の計時動作を再開させて現在時刻が大幅にずれるのを防いでいる。
【００５０】
液晶表示部８はいわゆるセグメントタイプＴＮ方式のＬＣＤパネルからなり、液晶ドライバ９で駆動されることによって後述するような種々の表示を行うものである。また、バックライト部１０は複数個の発光ダイオードからなり、後述するようにマイコン２によって点滅制御が行われる。
【００５１】
同期信号入力部１１は、図７に示すように同期信号入力端子Ｔ３，Ｔ３に入力される同期信号をホトカプラＰＣ１を介してマイコン２の入力ポートに入力するものである。
【００５２】
また、同期信号出力部１２は、図８に示すように定電圧回路１２ａ、スイッチ回路１２ｂ、電流制限回路１２ｃ、ホトカプラＰＣ２等で構成されており、マイコン２の出力ポートから出力される信号をホトカプラＰＣ２を介して同期信号出力端子Ｔ４，Ｔ４から同期信号として出力するものであって、図８に示すような回路構成を有する。定電圧回路１２ａは平滑コンデンサＣ０、トランジスタＴＲ１、ツェナーダイオードＺＤ等で構成され、スイッチ回路１２ｂを介して同期信号出力端子Ｔ４，Ｔ４間に同期信号用の直流電圧を供給している。スイッチ回路１２ｂはトランジスタＴＲ２、抵抗Ｒ２、コンデンサＣ１で構成され、ホトカプラＰＣ２の出力側が導通することでトランジスタＴＲ２をオンさせて同期信号出力端子Ｔ４，Ｔ４から同期信号を出力させる。ホトカプラＰＣ２の入力側にはトランジスタＴＲ３が接続されており、マイコン２から出力する同期出力信号によりトランジスタＴＲ３をオン、オフすることでホトカプラＰＣ２を介してスイッチ回路１２ｂを制御している。ここで、定電圧回路１２ａにはトランジスタＴＲ４と抵抗Ｒｘからなる電流制限回路１２ｃが設けてある。すなわち、定電圧回路１２ａのトランジスタＴＲ１のエミッタに接続された抵抗Ｒｘに過大な電流が流れるとトランジスタＴＲ４がオンとなり、トランジスタＴＲ１のベース電圧が低下することで定電圧回路１２ａの出力電圧が低下し、出力電流を制限することができ、同期信号を伝送する信号線の短絡などにより過大な電流が回路に流れるのを防ぐことができる。また、同期信号出力端子Ｔ４，Ｔ４間には同期信号が出力されたことを検出する同期信号検出回路１２ｄが設けてある。この同期信号検出回路１２ｄは抵抗を介して同期信号出力端子Ｔ４，Ｔ４間に入力側が接続されたホトカプラＰＣ３を備え、同期信号が出力されたときにホトカプラＰＣ３がオンすることでＬレベルの検出信号をマイコン２の入力ポートに入力するものである。而して、マイコン２では同期出力信号を出力した場合に同期信号検出回路１２ｄにて同期信号の出力が検出されなければ、信号線の短絡などにより同期信号が伝送されていないと判断することができ、問題を早期に発見することができるものである。
【００５３】
さて、マイコン２にはシリアルポート（図示せず）が設けられており、パーソナルコンピュータのような外部機器で作成した制御プログラム（後述する）等をシリアルポートから取り込んでメモリ３に記憶させることができ、後述するように操作スイッチ部１を操作して現場で制御プログラムを作成する場合に比較して制御プログラムの作成作業が簡素化できるものである。なお、このシリアルポートからメモリ３に記憶している制御プログラムを外部に出力したり、あるいはマイコン２の動作プログラムを書き換えることも可能であり、図１中の１３はマイコン２を上述の動作プログラムの書き換えモード等に設定するための設定用ジャンパ部である。
【００５４】
図２〜図５は本実施形態の外観図を示している。上述した回路部を構成するマイコン２等の電子部品がプリント回路基板に実装されて合成樹脂成型品からなる器体２０の内部に納装される。器体２０は略直方体状であって、前面略中央部に液晶表示部８並びに操作スイッチ部１が収納される突台２１が突設され、突台２１の前面から液晶表示部８の画面８ａが露出するとともに操作スイッチ部１のキーマトリクスが露設されている。また、器体２０の両端部には押締ねじ式の端子部が設けられており、この端子部により信号線端子Ｔ１，Ｔ１、電源端子Ｔ２，Ｔ２、同期信号入力端子Ｔ３，Ｔ３並びに同期信号出力端子Ｔ４，Ｔ４が構成されている。この器体２０は、図３及び図５に示すように背面並びに側面に設けられる取付孔２２に取付板（図示せず）の取付爪を係止することで既成の分電盤等に容易に配設することができる。また、器体２０の前面に突設した突台２１前面に操作スイッチ部１及び液晶表示部８の画面８ａが露出しているので、器体２０を分電盤に配設した場合に分電盤の扉の内側に配設される保護板の切り欠き窓を通して突台２１の前面を露出させることができ、保護板を開かずに操作スイッチ部１を操作したり、液晶表示部８の画面８ａの表示を視認することができて使い勝手がよいものである。
【００５５】
ところで、図２に示すように、液晶表示部８の画面８ａの周囲には、上辺に沿って「通常」、「プログラム」、「特日」、「時計」、「特別」の文字が左から順に表記されるとともにその上部に「モード」の文字が表記され、下辺に沿って「特日１動作」、「特日２動作」、「タイマ切」、「自動消灯」、「地区」の文字が左から順に表記されている。また、液晶表示部８の画面８ａの周囲において上辺に沿って表記された「通常」、「プログラム」、「特日」、「時計」、「特別」の文字に対応する部位、および下辺に沿って表記された「特日１動作」、「特日２動作」、「タイマ切」、「自動消灯」、「地区」の文字の近傍にはマーカＭが表示可能であり、マーカＭは反転表示（表示色を背景と異ならせることを意味する）によって示される。つまり、マーカＭを用いて実行中の機能を示すようになっている。
【００５６】
また、突台２１前面の操作スイッチ部１の近傍に設けられた透孔から、電源回路６からの電源供給時に点灯して通電表示を行う通電表示灯２３、並びにマイコン２のリセット時に点灯するリセット表示灯２４が外部に臨んでいる。
【００５７】
図１０は本実施形態のプログラムタイマユニットＡを組み込んだ遠隔監視制御システムの一例を示すシステム構成図であり、図１９に示したシステム構成に対して従来のプログラムタイマユニット３５の代わりにプログラムタイマユニットＡが信号線Ｌｓに接続されるとともに不要となった接点入力端末器３６が取り外されている。但し、伝送ユニット３０と操作端末器３１及び制御端末器３２については従来のものと同一であるから説明は省略する。
【００５８】
ここで、プログラムタイマユニットＡのマイコン２には、リアルタイムクロック４から出力される現在時刻データとメモリ３から読み出した制御プログラムに基づいて監視データを逐次発生するとともに発生した監視データを伝送信号送受信回路５により信号線Ｌｓに送出させてタイマ制御を行うモード（通常モード）、操作スイッチ部１で入力されるデータに基づいて負荷の制御プログラムを作成するモード（プログラム作成モード）、祝日等の特別の日（特日）を設定するモード（特日設定モード）、リアルタイムクロック４の現在時刻を設定するモード（時計モード）、後述するように特日設定の遠隔操作やタイマ制御機能の入切等を設定するモード（特別モード）の５つの基本的な動作モードがあり、操作スイッチ部１のモードキーＫ１が押操作される毎に通常モード、プログラム作成モード、特日設定モード、時計モード、特別モードがサイクリックに切り換えて選択され、液晶表示部８の画面８ａでは、選択された動作モードに対応する文字（「通常」、「プログラム」、「特日」、「時計」、「特別」）近傍のマーカＭが反転表示される。ここで、図９は液晶表示部８の画面８ａに表示可能な文字や記号等を全て表示した状態を示しており、同時に表示されることのない文字や記号等もある。なお、以下で説明する液晶表示部８の画面８ａの各表示はマイコン２により液晶ドライバ９を制御することで行われるものである。
【００５９】
まず、プログラムタイマユニットＡの施工後には最初にリアルタイムクロック４の現在時刻を設定する必要があるから、操作スイッチ部１のモードキーＫ１を押操作して時計モードを選択する。時計モードを選択すると、液晶表示部８の画面８ａでは「時計」の文字に対応するマーカＭが反転表示されるとともに、リアルタイムクロック４が計時している年月日が画面８ａの現在時刻表示領域Ｒ１に反転表示される（図９参照）。
【００６０】
時計モードの選択直後には年の設定モードとなっており、アップキーＫ４又はダウンキーＫ５が押操作される毎に現在時刻表示領域Ｒ１における年の反転表示が１年ずつ増減する。現在時刻表示領域Ｒ１における年の反転表示を現在年に一致させた後、設定キーＫ３を押操作して月の設定モードとし、同様にアップキーＫ４及びダウンキーＫ５を使って現在時刻表示領域Ｒ１における月の反転表示を現在月に一致させる。同様にして設定キーＫ３を押操作して日の設定モードでアップキーＫ４及びダウンキーＫ５を使って現在時刻表示領域Ｒ１の反転表示を現在のものに一致させる。また、時、分の設定モードでは、アップキーＫ４又はダウンキーＫ５が押操作される毎に画面８ａの設定時刻表示領域Ｒ４（後述する）に時分が反転表示され、アップキーＫ４又はダウンキーＫ５が押操作される毎に設定時刻表示領域Ｒ４における時、分の反転表示が１時間又は１分ずつ増減する（図９参照）。そして、時、分の設定モードでアップキーＫ４及びダウンキーＫ５を使って設定時刻表示領域Ｒ４の反転表示を現在時刻に一致させれば、設定された日付及び時刻のデータがマイコン２からリアルタイムクロック４に送られ、上記データによりリアルタイムクロック４の計時時刻が現在の年月日及び時刻に設定される。なお、各設定モードから前の設定モードに戻る（例えば、月の設定モードから年の設定モードに戻る）には、戻りキーＫ６を押操作すればよい。ここで、メモリ３には暦のデータが記憶されており、年月日に対応する曜日についてはマイコン２が暦のデータから判断可能である。
【００６１】
次に、モードキーＫ１を押操作して、祝日や行事開催日のような特別の日（特日）を設定する特日設定モードを選択する。特日設定モードを選択すると、液晶表示部８の画面８ａでは「特日」の文字に対応するマーカＭが反転表示され、現在時刻表示領域Ｒ１に現在の日付が反転表示され、画面８ａの略中央端部に「特日設定」の文字が反転表示されるとともに、現在時刻表示領域Ｒ１下部のカレンダ表示領域Ｒ５に一ヶ月分のカレンダが反転表示される（図９参照）。
【００６２】
本実施形態では２つの特日（特日１及び特日２）が設定可能であり、アップキーＫ４及びダウンキーＫ５を使って設定する特日を選択する。設定する特日を選択した後に設定キーＫ３を押操作すると、特日を毎年有効とするか又は特定の年（現在年又は翌年）のみ有効とするかを選択するモードとなり、アップキーＫ４又はダウンキーＫ５が押操作される毎に、現在時刻表示領域Ｒ１の左隣に「毎年」の文字が反転表示されるか、あるいは現在時刻表示領域Ｒ１における年の反転表示が現在年と翌年とに切り換えて反転表示される。毎年か、現在年又は翌年かを選択した後、設定キーＫ３を押操作して月の設定モードとし、アップキーＫ４及びダウンキーＫ５を使って現在時刻表示領域Ｒ１における月の反転表示を特日の月に一致させる。同様にして設定キーＫ３を押操作して日の設定モードでアップキーＫ４及びダウンキーＫ５を押操作すると、現在時刻表示領域Ｒ１の日の反転表示が増減するとともにカレンダ表示領域Ｒ５の選択されている日が反転表示され、特日に設定する日を反転表示させた状態で設定キーＫ３を押操作すれば、設定された日付のデータが特日のデータとしてメモリ３に記憶される。この動作を繰り返すことで最大２日の特日を設定することが可能である。このようにカレンダ表示領域Ｒ５に選択している月日を反転表示しながら特日を設定することができるため、特日の設定が非常に容易になるものである。
【００６３】
次に、モードキーＫ１を押操作してプログラム作成モードを選択すると、液晶表示部８の画面８ａでは「プログラム」の文字に対応するマーカＭが反転表示されるとともに、プログラム番号を意味する「ＰＲＧ番号」の文字と、その表示の下部のプログラム番号表示領域Ｒ２にプログラム番号とが反転表示される。本実施形態では３０通りの制御プログラムをメモリ３に記憶することができるようになっているから、プログラム番号表示領域Ｒ２には１〜３０の数字が反転表示可能である。プログラム作成モードの選択直後にはプログラム番号の設定モードとなっており、アップキーＫ４又はダウンキーＫ５が押操作される毎にプログラム番号表示領域Ｒ２に反転表示される数字が１ずつ増減する。そして、作成しようとするプログラム番号をプログラム番号表示領域Ｒ２に反転表示させた状態で設定キーＫ３を押操作すれば、負荷の制御種別を選択するモードに移行し、「ＰＲＧ番号」の代わりに「種別」の文字が反転表示される（図９参照）。そして、アップキーＫ４及びダウンキーＫ５を押操作することにより、「個別」、「グループ」、「パターン」、「調光」の中から負荷の制御種別を順次選択することができる。
【００６４】
「制御種別」として「個別」を選択したときには、画面８ａの「種別」の文字の下部に「個別」、右隣に「アドレスＮｏ．」の文字が各々反転表示されるとともに「アドレスＮｏ．」の文字の下部のアドレス番号表示領域Ｒ３にアドレス番号が反転表示される（図９参照）。アドレス番号表示領域Ｒ３にはチャンネル番号と負荷番号とをハイフンで結合した形で反転表示され、チャンネル番号と負荷番号とが各別に反転表示可能になる。つまり、設定キーＫ３を押操作して「個別」を選択した直後ではアドレス番号のチャンネル番号を設定するモードとなっており、このモードにおいてはチャンネル番号が反転表示になる。チャンネル番号が反転表示されているときにアップキーＫ４及びダウンキーＫ５を押操作することでアドレス番号表示領域Ｒ３に反転表示されるチャンネル番号を増減させ、所望のチャンネル番号を反転表示した状態で設定キーＫ３を押操作すれば、チャンネル番号が設定されて負荷番号を設定するモードに移行する。このモードにおいては負荷番号が反転表示になり、アップキーＫ４及びダウンキーＫ５を押操作することでアドレス番号表示領域Ｒ３に反転表示される負荷番号を増減させ、所望の負荷番号を反転表示した状態で設定キーＫ３を押操作すれば、負荷番号が設定されて「動作方式」の設定モードに移行する。
【００６５】
「動作方式」の設定モードに移行すると、「種別」及び「アドレスＮｏ．」の代わりにアドレス番号表示領域Ｒ３下部の「動作方式」の文字が反転表示される（図９参照）。そして、アップキーＫ４及びダウンキーＫ５を押操作することにより、「通常」と「ソーラー」の中から動作方式を選択することができる。ここで、「通常」の動作方式とは、負荷をオン（照明負荷Ｌを点灯）する入時刻と、負荷をオフ（照明負荷Ｌを消灯）する切時刻とを設定して現在時刻が入時刻になると負荷をオンし、現在時刻が切時刻になると負荷をオフするものである。一方、「ソーラー」の動作方式とは、その場所の日の出時刻及び日の入り時刻に基づいて負荷を制御するものである。
【００６６】
動作方式として「通常」を選択したときには、画面８ａの「動作方式」の文字の下部に「通常」の文字が反転表示され、設定キーＫ３を押操作することで負荷をオンしようとする時刻（入時刻）の設定モードに移行して、画面８ａの「通常」の文字の下方に「制御」及び「時刻」の文字が左右に並んで反転表示されるとともに、「制御」の文字の下部に「入」の文字が反転表示され、且つ「時刻」の文字の下部の設定時刻表示領域Ｒ４に時分が反転表示される（図９参照）。そして、アップキーＫ４又はダウンキーＫ５を押操作することで設定時刻表示領域Ｒ４の時間の表示を増減し、入時刻の時間に一致させた後、設定キーＫ３を押操作して入時刻の分の設定モードに移行し、同様にアップキーＫ４及びダウンキーＫ５を使って設定時刻表示領域Ｒ４における分の反転表示を入時刻の分の数字に一致させる。この状態で設定キーＫ３を押操作すると負荷をオフしようとする時刻（切時刻）の設定モードとなり、アップキーＫ４又はダウンキーＫ５を押操作することで設定時刻表示領域Ｒ４の時間の表示を増減し、切時刻の時間に一致させた後、設定キーＫ３を押操作して切時刻の分の設定モードに移行し、同様にアップキーＫ４及びダウンキーＫ５を使って設定時刻表示領域Ｒ４における分の反転表示を切時刻の分の数字に一致させる。さらに、この状態から設定キーＫ３を押操作すると、負荷を制御する曜日の設定モードとなり、画面８ａの設定時刻表示領域Ｒ４の文字の下部に「動作日」の文字が反転表示される（図９参照）。そして、アップキーＫ４又はダウンキーＫ５を押操作することにより、「月」、「火」、「水」、「木」、「金」、「土」、「日」、「特日１」、「特日２」の中から曜日又は特日を順次選択することができ、「動作日」の文字の下部に「特日１」、「特日２」、「月」、「火」、「水」、「木」、「金」、「土」、「日」の文字の中で選択された文字が反転表示される（図９参照）。
【００６７】
一方、動作方式として「ソーラー」を選択したときには、画面８ａの「通常」の文字の下部に「ソーラー」の文字が反転表示され、設定キーＫ３を押操作することにより、「日入−日出」、「日入−定時」、「定時−日出」の各動作モードを選択するモードに移行し、アップキーＫ４及びダウンキーＫ５を押操作することで上記３つの動作モードを順次選択することができる。このとき、画面８ａのアドレス番号表示領域Ｒ３下部の「動作モード」の文字が反転表示されるとともに、この「動作モード」の文字の下部に「日入」、「定時」、「日出」の文字が反転表示され、且つ「日入」、「定時」、「日出」の各文字間並びに下部に記号が反転表示される（図９参照）。ここで、「日入−日出」の動作モードでは日の入り時刻に照明負荷Ｌを点灯するとともに日の出時刻に消灯し、「日入−定時」の動作モードでは日の入り時刻に照明負荷Ｌを点灯するとともに日の出時刻と異なる時刻に設定された「定時」に消灯し、「定時−日出」の動作モードでは日の入り時刻と異なる時刻に設定された「定時」に照明負荷Ｌを点灯するとともに日の出時刻に消灯する。なお、日の入り時刻並びに日の出時刻は、後述するように特別モードの「地区設定」において選択した地区における年間の日の入り時刻及び日の出時刻のデータをメモリ３から読み出すことで得られる。
【００６８】
ところで、実際の施工場所では建物の陰になって日の入り時刻よりも前に暗くなったり、日の出時刻を過ぎてもしばらくは明るくならない場合があるから、施工場所の状況に応じて日の入り時刻及び日の出時刻のデータを調整できることができれば、制御プログラムの作成作業がより容易になる。そこで本実施形態では、「動作モード」として「日入−日出」を選択した後に設定キーＫ３を押操作すると、本来日の入り時刻に行う負荷の制御を日の入り時刻よりも早く又は遅くするモードに移行するようにしてある。このモードに移行すると、画面８ａの設定時刻表示領域Ｒ４の下部に「早め」又は「遅め」の文字が反転表示される（図９参照）。「早め」又は「遅め」の何れかを選択した後に設定キーＫ３を押操作すると、アップキーＫ４及びダウンキーＫ５を使って、日の入り時刻から早める又は遅める時間を０〜９０分の間で１分単位に選択することができる。このとき、画面８ａの設定時刻表示領域Ｒ４右隣に設けられた時間表示領域Ｒ６に上記時間が１分単位で表示される（図９参照）。なお、日の入り時刻に負荷の制御を行う場合には上記時間として０分を選択すればよい。そして、日の入り時刻から早める又は遅める時間を選択した後に設定キーＫ３を押操作すると、今度は日の出時刻に行う負荷の制御を日の出時刻よりも早く又は遅くするモードに移行し、アップキーＫ４及びダウンキーＫ５を使って、上述と同様に０〜９０分の間で１分単位に選択することができる。日の出時刻から早める又は遅める時間を選択した後に設定キーＫ３を押操作すると、既に説明した負荷を制御する曜日の設定モードとなり、画面８ａの設定時刻表示領域Ｒ４の文字の下部に「動作日」の文字が反転表示される（図９参照）。なお、この設定モードにおける操作は上述の通りであるから説明は省略する。
【００６９】
また、「動作モード」として「日入−定時」を選択した後に設定キーＫ３を押操作すると、上述のように日の入り時刻よりも早く又は遅くするモードに移行し、日の入り時刻から早める又は遅める時間を選択した後に設定キーＫ３を押操作すれば、「定時」を設定するモードに移行する。この「定時」の設定モードでは、画面８ａの設定時刻表示領域Ｒ４の下部に「定時」の文字が反転表示され（図９参照）、「通常」の「動作方式」を選択した場合の入時刻や切時刻の設定と同様にして「定時」の時刻が設定される。そして、「定時」の時刻を設定した後に設定キーＫ３を数回押操作すると、日の出時刻に行う負荷の制御を日の出時刻よりも早く又は遅くするモードを経て、「日入−日出」の「動作モード」と同様に負荷を制御する曜日の設定モードとなる。
【００７０】
さらに、「動作モード」として「定時−日出」を選択した後に設定キーＫ３を押操作すると、「日入−定時」と同様にして「定時」の時刻が設定される。そして、「定時」の時刻を設定した後に設定キーＫ３を数回押操作すると、「日入−日出」及び「定時−日出」の「動作モード」と同様に負荷を制御する曜日の設定モードとなる。
【００７１】
而して、曜日の設定が終了すれば、マイコン２はこれまでに設定した内容で負荷の制御プログラムを作成し、作成した制御プログラムを最初に選択したプログラム番号に対応づけてメモリ３に記憶する。
【００７２】
一方、「制御種別」として「グループ」（又は「調光」）を選択したときには、画面８ａの「種別」の文字の下部に「Ｇ」（又は「調光」）、右隣に「アドレスＮｏ．」の文字が各々反転表示されるとともに「アドレスＮｏ．」の文字の下部のアドレス番号表示領域Ｒ３にグループ番号（又は調光番号）が反転表示されるとともに、アドレス番号表示領域Ｒ３のチャンネル番号が表示される範囲に１〜１２７のグループ番号（又は１〜１６の調光番号）が反転表示される（図９参照）。この状態でアップキーＫ４及びダウンキーＫ５を押操作すればアドレス番号表示領域Ｒ３に反転表示されるグループ番号（又は調光番号）を増減させ、所望のグループ番号（又は調光番号）を反転表示した状態で設定キーＫ３を押操作すれば、グループ番号（又は調光番号）が設定されて「動作方式」の設定モードに移行する。そして、「個別」を選択した場合と同様にして曜日の選択まで終了すれば、マイコン２がこれまでに設定した内容で負荷の制御プログラムを作成し、作成した制御プログラムを最初に選択したプログラム番号に対応づけてメモリ３に記憶する。
【００７３】
さらに、「制御種別」として「パターン」を選択したときには、画面８ａの「種別」の文字の下部に「Ｐ」、右隣に「アドレスＮｏ．」の文字が各々反転表示されるとともに「アドレスＮｏ．」の文字の下部のアドレス番号表示領域Ｒ３にパターン番号が反転表示されるとともに、アドレス番号表示領域Ｒ３のチャンネル番号が表示される範囲に１〜７２のパターン番号が反転表示される（図９参照）。この状態でアップキーＫ４及びダウンキーＫ５を押操作すればアドレス番号表示領域Ｒ３に反転表示されるパターン番号を増減させ、所望のパターン番号を反転表示した状態で設定キーＫ３を押操作すれば、パターン番号が設定されて「動作方式」の設定モードに移行する。
【００７４】
「動作方式」の設定モードでは「通常」、「ソーラー」、「繰り返し」の中から動作方式を選択することができる。ここで、「パターン」における「通常」の動作方式とは、負荷をパターン制御する時刻を設定して現在時刻が設定時刻になるとパターン番号で選択したパターン制御を行うものである。また、「ソーラー」の動作方式とは、その場所の日の出時刻又は日の入り時刻にパターン番号で選択したパターン制御を行うものである。なお、「通常」の動作方式における時刻設定及び「ソーラー」の動作方式における日の入り時刻又は日の出時刻の「早め」又は「遅め」の設定は上述の「個別」の場合とほとんど同じであるから詳しい説明は省略する。
【００７５】
一方、「繰り返し」の動作方式とは、負荷の制御を開始する時刻（開始時刻）、その制御を終了する時刻（終了時刻）、その制御を行う間隔（間隔時間）を設定し、開始時刻から終了時刻の間で間隔時間毎にパターン番号で選択したパターン制御を行うものである。
【００７６】
ここで、動作方式として「繰り返し」を選択したときには、画面８ａの「動作方式」の文字の下部に「繰返」の文字が反転表示され、設定キーＫ３を押操作することで上記開始時刻の設定モードに移行して、画面８ａの「制御」の文字の下部に「入」の文字が反転表示されるとともに「時刻」の文字の下部の設定時刻表示領域Ｒ４に時分が反転表示される（図９参照）。そして、アップキーＫ４又はダウンキーＫ５を押操作することで設定時刻表示領域Ｒ４の時間の表示を増減し、開始時刻の時間に一致させた後、設定キーＫ３を押操作して開始時刻の分の設定モードに移行し、同様にアップキーＫ４及びダウンキーＫ５を使って設定時刻表示領域Ｒ４における分の反転表示を開始時刻の分の数字に一致させる。この状態で設定キーＫ３を押操作すると上記終了時刻の設定モードとなり、アップキーＫ４又はダウンキーＫ５を押操作することで設定時刻表示領域Ｒ４の時間の表示を増減し、終了時刻の時間に一致させた後、設定キーＫ３を押操作して終了時刻の分の設定モードに移行し、同様にアップキーＫ４及びダウンキーＫ５を使って設定時刻表示領域Ｒ４における分の反転表示を終了時刻の分の数字に一致させる。この状態で設定キーＫ３を押操作すると上記間隔時間の設定モードとなり、アップキーＫ４又はダウンキーＫ５を押操作することで設定時刻表示領域Ｒ４の時間の表示を増減し、間隔時間の時間（０〜２）に一致させた後、設定キーＫ３を押操作して間隔時間の分の設定モードに移行し、同様にアップキーＫ４及びダウンキーＫ５を使って設定時刻表示領域Ｒ４における分の反転表示を間隔時間の分の数字（０〜６０）に一致させる。さらに、この状態から設定キーＫ３を押操作すると、負荷を制御する曜日の設定モードとなり、画面８ａの設定時刻表示領域Ｒ４の文字の下部に「動作日」の文字が反転表示される（図９参照）。なお、この設定モードにおける操作は上述の通りであるから説明は省略する。そして、「通常」又は「ソーラー」を選択した場合と同様にして曜日の選択まで終了すれば、マイコン２がこれまでに設定した内容で負荷の制御プログラムを作成し、作成した制御プログラムを最初に選択したプログラム番号に対応づけてメモリ３に記憶する。
【００７７】
ここで、プログラム作成モードにおいて特定のキー（例えば、アップキーＫ４とダウンキーＫ５）を同時に数秒間押操作し続けると、マイコン２は作成した上記制御プログラムを空いているプログラム番号に対応づけてメモリ３にコピーすることができる。つまり、異なる負荷に対して同じ内容の設定する場合に制御プログラムをコピーすることで制御プログラムの作成作業が簡素化できるものである。
【００７８】
また、上述のようにして作成した制御プログラムが間違っていたり、あるいはオフィスのレイアウト変更等によって制御プログラムを大幅に修正しなければならない場合、複数の制御プログラムを１つずつ削除すると非常に手間がかかってしまうことになる。そこで、操作スイッチ部１のクリアキーＫ２を押操作すれば、マイコン２がメモリ３の初期化処理を実行し、工場出荷時にデータが記憶させてある領域以外の、使用者が利用可能な領域に記憶されている制御プログラム等の全てのデータを一括して消去するようにしている。その結果、メモリ３の内容をいつでも工場出荷時の初期状態に戻すことが可能であり、複数の制御プログラムを１つずつ削除する手間を省くことができる。
【００７９】
ところで、モードキーＫ１を押操作して特別モードを選択すると、液晶表示部８の画面８ａでは「特別」の文字に対応するマーカＭが反転表示される（図２参照）。特別モードには「特日１動作」、「特日２動作」、「タイマ切」、「自動消灯」、「地区」の５つのモードがあり、特別モードを選択した直後には「特日１動作」のモードが選択されて、「特日１動作」の文字に対応するマーカＭが反転表示される（図２参照）。ここで、「特日１動作」並びに「特日２動作」のモードでは、個別スイッチとして割り付けた操作端末器３１のスイッチのチャンネル番号及び負荷番号を設定することにより、スイッチが押操作されて伝送ユニット３０から対応する制御データが伝送されてきたときに、その時点の翌日を特日１又は特日２に設定することができる。また、スイッチがもう一度押操作されたときには、上記手順で設定した特日１又は特日２を取り消すことができる。つまり、特日１又は特日２の設定・解除を遠隔のスイッチの操作で行うことができて使い勝手が向上するものである。ここで、操作スイッチ部１のキーマトリクスに設けられた特日１動作キーＫ７又は特日２動作キーＫ８を押操作した場合にも、スイッチを押操作したときと同様にその翌日を特日１又は特日２に設定することができるようにしてある。
【００８０】
また、「タイマ切」のモードが選択されると、「タイマ切」の文字に対応するマーカＭが反転表示される（図２参照）。この「タイマ切」のモードでは、個別スイッチとして割り付けた操作端末器３１のスイッチ（上記特日１又は特日２の場合と異なるスイッチ）のチャンネル番号及び負荷番号を設定することにより、スイッチが押操作されて伝送ユニット３０から対応する制御データが伝送されるとマイコン２は制御プログラムに従ったタイマ制御を行わないようになる。また、スイッチがもう一度押操作されたときには、通常通りマイコン２が制御プログラムに従ったタイマ制御を行う。つまり、マイコン２によるタイマ制御の入・切を遠隔のスイッチの操作で行うことができて使い勝手が向上するものである。ここで、操作スイッチ部１のキーマトリクスに設けられたタイマ切キーＫ９を押操作した場合にも、スイッチを押操作したときと同様にタイマ制御の入・切を行うことができるようにしてある。なお、「特日１動作」、「特日２動作」、「タイマ切」の各モードにおけるアドレス（チャンネル番号及び負荷番号）の設定手順は、「個別」の「制御種別」におけるアドレスの設定手順と共通であるから説明は省略する。
【００８１】
さらに、「地区設定」のモードが選択されると、「地区設定」の文字に対応するマーカＭが反転表示される（図２参照）。例えば、予め全国を１２の地区に分けて各地区毎の年間の日の入り時刻及び日の出時刻のデータがメモリ３に記憶されており、「地区設定」のモードでは、１〜１２の地区番号を選択することにより本システムが設置されている地区を特定する。而して、「ソーラー」の「動作方式」が選択された場合に、マイコン２は上記「地区設定」のモードで選択された地区番号のデータをメモリ３から読み出して制御プログラムを作成するから、日の入り時刻及び日の出時刻の設定作業が非常に簡単になるものである。なお、本実施形態では全国を１２の地区に分けた日の入り時刻及び日の出時刻のデータをメモリ３に記憶するようにしているが、この他に緯度及び経度に応じた日の入り時刻及び日の出時刻のデータをメモリ３に記憶させ、本システムが設置される場所の緯度及び経度を入力することで日の入り時刻及び日の出時刻を自動的に設定するようにしてもよく、本システムを国外で使用する場合に特に有効である。
【００８２】
また、「自動消灯」のモードが選択されると、「自動消灯」の文字に対応するマーカＭが反転表示される（図２参照）。この「自動消灯」のモードでは、液晶表示部８における表示を操作スイッチ部１の最終操作から所定時間（例えば、１０分）経過後に自動的に消灯する機能をオン・オフすることができる。そして、「自動消灯」の機能がオンされた場合には、画面８ａのカレンダ表示領域Ｒ５下部に「自動消灯」の文字が反転表示される（図９参照）。なお、「自動消灯」の機能のオン時においても、設定時間表示領域Ｒ４の現在時刻表示のみは消灯せずに表示するようにしてもよい。これにより、不必要なときに液晶表示部８の画面８ａの表示を消灯することで省エネルギ化を図ることができる。
【００８３】
一方、操作スイッチ部１に設けられているバックライトキーＫ１１を押操作すると、操作スイッチ部１の最終操作から所定時間（例えば、５分）経過後にバックライト部１０を自動的に消灯する機能をオン・オフすることができる。すなわち、操作スイッチ部１を操作して制御プログラムの作成等を行う場合にはバックライト部１０を点灯している方が画面８ａが見やすくなって作業性が向上するが、そのような場合以外では特にバックライト部１０を点灯する必要がないことから、不必要なときにバックライト部１０を消灯して省エネルギ化を図ることができる。
【００８４】
また、操作スイッチ部１に設けられているサマータイムキーＫ１０を押操作すると、サマータイム（夏時間）の有効・無効を選択することができる。すなわち、サマータイムキーＫ１０を押操作してサマータイムを有効とすれば、画面８ａのカレンダ表示領域Ｒ５下部に「サマータイム」の文字が反転表示される（図９参照）。サマータイムが有効の場合、マイコン２は現在時刻データとメモリ３に予め記憶されているサマータイム期間とを比較し、現在時刻データがサマータイム期間内に含まれていればリアルタイムクロック４が計時する現在時刻を１時間だけ進ませる。また、現在時刻データがサマータイム期間を過ぎれば、マイコン２はリアルタイムクロック４が計時する現在時刻を１時間だけ遅らせる。
【００８５】
このように本実施形態では、マイコン２が現在時刻データとサマータイム期間とを比較して自動的にサマータイム時間に調整するようにしているが、操作スイッチ部１のサマータイムキーＫ１０を押操作してサマータイムを有効とすれば、マイコン２にてリアルタイムクロック４が計時する現在時刻を１時間だけ進ませ、サマータイムキーＫ１０を再度押操作してサマータイムを無効にすれば、マイコン２にてリアルタイムクロック４が計時する現在時刻を１時間だけ遅らせるようにしてもよい。なお、このようにした場合、現在の月日がサマータイム期間であるかに関わらず、使用者の希望により、現在時刻を１時間だけ進めることが可能である。
【００８６】
而して、マイコン２はリアルタイムクロック４の計時時刻（現在時刻）がメモリ３から読み出した制御プログラムにおいて設定される時刻（入時刻や切時刻、日の入り時刻や日の出時刻等）に一致したときに逐次監視データ（例えば、制御対象の照明負荷Ｌを個別制御する個別スイッチＳａと同じチャンネル番号及び負荷番号）を発生し、その監視データを伝送信号送受信回路５より信号線Ｌｓに送出して伝送ユニット３０に伝送することで照明負荷Ｌのタイマ制御を行っている。
【００８７】
次に、図１０に示すようなシステム構成でオフィスに設置される照明負荷Ｌを制御する場合を例示して、本実施形態のプログラムタイマユニットＡの動作を説明する。図１１は制御プログラムの一例を示しており、プログラム番号１の制御プログラムでは、８時３０分に照明負荷Ｌを調光比５０％（全点灯時の照明負荷Ｌへの出力を１００％としたときの比率）で調光するパターン番号２のパターンＰ２を月曜日から金曜日並びに特日２に実行し、プログラム番号２の制御プログラムでは、９時００分に照明負荷Ｌを全点灯するパターン番号１のパターンＰ１を月曜日から金曜日並びに特日２に実行し、プログラム番号３の制御プログラムでは、開始時刻１２時００分から終了時刻１２時３０分の間に間隔時間３０分で照明負荷Ｌを調光比３０％で調光するパターン番号３のパターンＰ３を月曜日から金曜日に実行し、プログラム番号４の制御プログラムでは、１３時００分にパターン番号１のパターンＰ１を月曜日から金曜日に実行し、プログラム番号５の制御プログラムでは、開始時刻１８時００分から終了時刻１９時００分の間に間隔時間１時間でパターン番号２のパターンＰ２を月曜日から金曜日に実行し、プログラム番号６の制御プログラムでは、開始時刻２０時００分から終了時刻２４時００分の間に間隔時間１時間で照明負荷Ｌを消灯するパターン番号４のパターンＰ４を月曜日から金曜日に実行する。さらに、プログラム番号の制御プログラムでは、開始時刻７時００分から終了時刻２４時００分の間に間隔時間１時間でパターン番号４のパターンＰ４を土曜日、日曜日並びに特日１に実行し、プログラム番号８の制御プログラムでは、開始時刻１２時００分から終了時刻２４時００分の間に間隔時間１時間でパターン番号４のパターンＰ４を特日２に実行する。なお、上述の各制御プログラムを作成する前に、例えば従来例で説明したように予めパターン設定器等を用いて各パターン番号に対応した各照明負荷Ｌの制御状態を設定して関係データを作成し、この関係データを伝送ユニット３０に転送しておく。
【００８８】
図１２〜図１４には縦軸に照明負荷Ｌの調光比〔％〕、横軸に時刻（５時００分から２４時００分）をとり、月曜日〜金曜日のタイマ制御、土曜日、日曜日及び特日１のタイマ制御、並びに特日２のタイマ制御の状態をそれぞれ示している。すなわち、図１２に示すように平日（月曜日〜金曜日）の８時３０分になるとマイコン２がプログラム番号１の制御プログラムに従ったタイマ制御を実行し、照明負荷Ｌを調光比５０％で調光点灯し（パターンＰ２）、９時００分になるとプログラム番号２の制御プログラムに従ったタイマ制御を実行して照明負荷Ｌを全点灯する（パターンＰ１）。つまり、オフィスの始業時間を９時００分とした場合に始業時間の３０分前（８時３０分）から始業時間まで５０％の調光比で調光点灯し、始業時間になれば全点灯するようにして、始業前に無駄な照明がされるのを防いで省エネルギ化を図っている。
【００８９】
また、１２時００分（昼休みの開始時刻）になるとマイコン２がプログラム番号３の制御プログラムに従ったタイマ制御を実行し、照明負荷Ｌを調光比３０％で調光点灯する。このとき、制御方式として「繰り返し」が選択されているため、例えば誰かがスイッチを操作して照明負荷Ｌを全点灯したまま放置した場合でも、１２時００分から間隔時間３０分が経過した時点（１２時３０分）に再度マイコン２がタイマ制御を実行して照明負荷Ｌを調光比３０％で調光点灯するため、上述のような消し忘れがあっても照明負荷Ｌが無駄に点灯することを防いで省エネルギ化を図ることができる。そして、１３時００分（昼休みの終了時刻）になると、マイコン２がプログラム番号４の制御プログラムに従ったタイマ制御を実行して照明負荷Ｌを全点灯し、終業時刻（１８時００分）になるとプログラム番号５の制御プログラムに従ったタイマ制御を実行して照明負荷Ｌを調光比５０％で調光点灯する。このプログラム番号５の制御プログラムでは、制御方式として間隔時間が１時間の「繰り返し」が選択されている。すなわち、残業時間が１時間毎に区切られていると仮定したとき、残業する社員が必要に応じてスイッチの操作で照明負荷Ｌを全点灯し、そのままの状態で退社してしまった場合であっても、終業時刻から１時間経過する毎（１９時００分及び２０時００分）に再度マイコン２がタイマ制御を実行して照明負荷Ｌを調光比５０％で調光点灯するため、上述のような消し忘れがあっても照明負荷Ｌが無駄に点灯することを防いで省エネルギ化を図ることができる。
【００９０】
そして、２０時００分になると、マイコン２がプログラム番号６の制御プログラムに従ったタイマ制御を実行して照明負荷Ｌを消灯するが（パターンＰ４）、このプログラム番号６の制御プログラムでは、制御方式として間隔時間が１時間の「繰り返し」が選択されているため、上述のように残業した社員が消灯を忘れて退社してしまった場合であっても、２０時００分から１時間経過する毎に再度マイコン２がタイマ制御を実行して照明負荷Ｌを消灯するため、上述のような消し忘れがあっても照明負荷Ｌが無駄に点灯することを防いで省エネルギ化を図ることができる。なお、２４時００分から翌朝の８時３０分まではプログラムタイマユニットＡによるタイマ制御を行わない。
【００９１】
一方、オフィスの休日となる土曜日、日曜日及び特日１では、図１３に示すように７時００分になるとマイコン２がプログラム番号７の制御プログラムに従ったタイマ制御を実行して照明負荷Ｌを消灯する（パターンＰ４）。このプログラム番号７の制御プログラムでは、制御方式として間隔時間が１時間の「繰り返し」が選択されているため、例えば休日に出勤した社員が消灯を忘れて退社してしまった場合であっても、７時から２４時の間で毎正時に再度マイコン２がタイマ制御を実行して照明負荷Ｌを消灯するため、上述のような消し忘れがあっても照明負荷Ｌが無駄に点灯することを防いで省エネルギ化を図ることができる。
【００９２】
また、就業時間を半日（９時００分〜１２時００分）とする日を特日２に設定している場合、図１４に示すように８時３０分になるとマイコン２がプログラム番号１の制御プログラムに従ったタイマ制御を実行し、照明負荷Ｌを調光比５０％で調光点灯し（パターンＰ２）、９時００分になるとプログラム番号２の制御プログラムに従ったタイマ制御を実行して照明負荷Ｌを全点灯する（パターンＰ１）。さらに、１２時００分になって就業時間が済むと、マイコン２がプログラム番号８の制御プログラムに従ったタイマ制御を実行して照明負荷Ｌを消灯する（パターンＰ４）。このプログラム番号８の制御プログラムでは、制御方式として間隔時間が１時間の「繰り返し」が選択されているため、例えば就業時間後に残業した社員が消灯を忘れて退社してしまった場合であっても、１２時から２４時の間で毎正時に再度マイコン２がタイマ制御を実行して照明負荷Ｌを消灯するため、上述のような消し忘れがあっても照明負荷Ｌが無駄に点灯することを防いで省エネルギ化を図ることができる。
【００９３】
上述のように本実施形態のプログラムタイマユニットＡでは、タイマ制御手段たるマイコン２が、リアルタイムクロック４の現在時刻がメモリ３から読み出した制御プログラムにおいて設定される時刻に一致したときに逐次監視データを発生し、その監視データを伝送信号送受信回路５より信号線Ｌｓに送出して伝送ユニット３０に伝送することで照明負荷Ｌのタイマ制御を行っているので、従来例のように接点入力端末器を用いずにプログラムタイマユニットＡを直接信号線Ｌｓに接続してシステムに組み入れることができ、コスト並びに設置スペースの削減が図れる。また、プログラム作成手段たるマイコン２では、照明負荷Ｌの制御時刻及び制御内容が曜日毎に設定される週間プログラムと、特定の日時（特日）に対して照明負荷Ｌの制御時刻及び制御内容が設定される特日プログラムとを作成することができるから、週間プログラムにより曜日毎に違った制御時刻及び制御内容が設定できるとともに、祝日等の特定の日については特日プログラムを作成して通常の曜日とは異なった制御時刻及び制御内容が設定できてシステムの運用が容易になるという利点がある。
【００９４】
ところで本実施形態では、毎正時に外部から電線を介して同期信号が入力される同期信号入力部１１を備えており、同期信号入力部１１から入力ポートに同期信号が入力すると、マイコン２がリアルタイムクロック４の計時する時刻を同期信号に基づいて修正する。この同期信号は、例えば他のタイマ機器や時計などから出力されるものである。したがって、毎正時に同期信号に同期するようにリアルタイムクロック４の計時時刻を修正するので、現在時刻の確度が高くなるとともに他のタイマ機器との間に時間のずれが生じるのを防ぐことができる。
【００９５】
一方、大規模なオフィスビル等においては、図１０に示す遠隔監視制御システムを複数接続して使用する場合があり、このような場合には各システム毎に本実施形態のプログラムタイマユニットＡを設ける必要がある。しかしながら、プログラムタイマユニットＡを複数設ける場合には、個々のプログラムタイマユニットＡ１，…毎でリアルタイムクロック４が計時する現在時刻にずれの生じる虞があり、プログラムタイマユニットＡ１，…の台数が少なければ個々に修正を行うことは容易であるが、台数が増えるにつれて修正の手間が増大してしまうことになる。そこで、複数のプログラムタイマユニットＡ１，…を設ける場合に各プログラムタイマユニットＡ１，…の同期信号出力端子Ｔ４，Ｔ４を他のプログラムタイマユニットＡ２，…の同期信号入力端子Ｔ３，Ｔ３に接続し、１台のプログラムタイマユニットＡ１，…の同期信号入力部１１に入力された同期信号を、同期信号出力部１２から他のプログラムタイマユニットＡ２，…に順次転送することにより、全てのプログラムタイマユニットＡ１，…で現在時刻の同期を取って個々に修正する手間を省くことができる。
【００９６】
ここで、図１５のフローチャートを参照して全てのプログラムタイマユニットＡ１，…で現在時刻の同期を取る動作を説明する。複数台のプログラムタイマユニットＡ１，…のうちの１台（例えば、プログラムタイマユニットＡ１）に外部から同期信号が入力されると（ステップＳＡ１）、プログラムタイマユニットＡ１のマイコン２が同期信号の立ち上がりを検出してリアルタイムクロック４の計時する時刻を同期信号に基づいて修正する（ステップＳＡ２）。さらに、マイコン２は、内蔵タイマのカウントを開始するとともに（ステップＳＡ３）、同期信号出力信号を出力して同期信号出力部１２より同期信号を出力させ（ステップＳＡ４）、図１６に示すように内蔵タイマのカウント時間が所定値（例えば５００ｍｓ）を経過するまで同期信号の出力を継続させ（ステップＳＡ５）、カウント時間が所定値を経過すれば同期信号出力信号を停止して同期信号出力部１２からの同期信号の出力を停止する（ステップＳＡ６）。他のプログラムタイマユニットＡ２，…は同期信号の供給元が上位のプログラムタイマユニットＡ１，…である点を除いて上記フローチャートに従って動作し、その結果、複数台のプログラムタイマユニットＡ１，…の間で現在時刻を同期させることができる。なお、マイコン２では同期信号検出回路１２ｄにて同期信号の出力が検出された場合、液晶ドライバ９を制御して液晶表示部８に同期信号が出力されたことを表示するようにしており、同期信号の出力の有無が容易に判断可能となっている。
【００９７】
（実施形態２）
図１７に本実施形態のブロック図を示す。本実施形態では、検知エリア内の人の存否を検知する人体検知部１４を備えており、これ以外の構成は実施形態１と共通である。よって、実施形態１と共通の構成要素には同一の符号を付して説明を省略する。
【００９８】
人体検知部１４は、人体から放射される熱線（赤外線）を焦電素子にて検出することで検知エリア内に存在する人体を検知するものであって、人体を検知したときに人体検知信号をマイコン２に対して出力する。
【００９９】
マイコン２では人体検知部１４から人体検知信号が入力された場合にバックライト部１０を点灯させ、人体検知部１４から人体検知信号が入力されなくなった時点より所定時間が経過した後にバックライト部１０を消灯させる。すなわち、実施形態１においては操作スイッチ部１が操作されたときにマイコン２がバックライト部１０を点灯させているが、遠隔監視制御システムの施工時には照明負荷Ｌが未設置の場合があり、しかも、プログラムタイマユニットが収納される分電盤の設置場所は暗いことが多く、操作スイッチ部１を操作するまでバックライト部１０が点灯しないと非常に不便である。これに対して本実施形態では、プログラムタイマユニットの近傍に人が近付くと人体検知部１４が人の存在を検知してマイコン２がバックライト部１０を点灯させるため、操作スイッチ部１を操作する前に液晶表示部８の表示を確認することができて使い勝手が向上する。しかも、プログラムタイマユニットの近傍から人が離れて人体検知部１４で人の存在が検知されなくなればマイコン２がバックライト部１０を消灯するから、バックライト部１０の不要な点灯を防いで省エネ化が図れる。なお、人体検知部１４の検知結果に応じてマイコン２がバックライト部１０を点滅させるだけでなく、液晶ドライバ９を制御して液晶表示部８の表示もオン、オフするようにすれば、一層電力消費が低減できるとともに液晶表示部８の耐用寿命を延ばすことも可能である。
【０１００】
ところで、マイコン２は制御プログラムの不動作時に原因を判定し、判定結果を液晶表示部８に表示させる機能を有している。すなわち、何らかのエラーが発生した場合、マイコン２は液晶ドライバ９を制御して液晶表示部８の「エラー」の文字を反転表示させるとともに、エラー内容に応じて割り付けられている番号（エラー番号）を「エラー」の文字の下方に位置する時間表示領域Ｒ６に表示させる。本実施形態においては、液晶ドライバ９のデータ読み書きエラーに「０１」、メモリ３を構成するＥＥＰＲＯＭの読み書きエラーに「０２」、マイコン２内部の作業用メモリ（ＲＡＭ）の読み書きエラーに「０３」、リアルタイムクロック４の現在時刻データの読み書きエラーに「０４」、シリアルポートの通信エラーに「０５」、フラッシュメモリ（図示せず）の読み書きエラーに「０６」、伝送信号の送受信が停止するエラーに「１０」、割込のタイムアウトエラーに「１１」、同期信号の入出力エラーに「２０」のエラー番号がそれぞれ割り付けてある。従って、信号線Ｌｓや回路素子の電圧を測定することで異常の発生箇所を判断するといった手間をかけずに、液晶表示部８に表示するエラー番号からエラー発生の原因を容易に特定することができる。
【０１０１】
また、マイコン２はメモリ３から読み出した制御プログラムに基づいて監視データを逐次発生するとともに伝送信号送受信回路５から監視データを信号線Ｌｓに送出させて制御プログラムをシミュレーションする機能を有している。すなわち、操作スイッチ部１の特定のキー（例えば、モードキーＫ１とアップキーＫ４）を同時に数秒間押操作し続けることでマイコン２がシミュレーションモードに移行する。シミュレーションモードでは、アップキーＫ４及びダウンキーＫ５を使ってシミュレーションする制御プログラムのプログラム番号を選択し、設定キーＫ３を押操作することでプログラム番号を確定してマイコン２がシミュレーションを開始する。すなわち、図１８のフローチャートに示すように、マイコン２はシミュレーションを開始すると（ステップＳＢ１）、リアルタイムクロック４から現在時刻データを取得し（ステップＳＢ２）、取得した現在時刻データを選択した制御プログラムの制御時刻に変更した後（ステップＳＢ３）、選択した制御プログラムを起動する（ステップＳＢ４）。そして、制御プログラムに従ってマイコン２が逐次監視データを発生して伝送信号送受信部５から伝送信号を送信させることで制御プログラムに応じた制御内容で照明負荷Ｌが制御される。而して、制御プログラムをシミュレーションすることによって実際の現在時刻が制御時刻に一致するまで待たずに負荷Ｌの動作を確認することができ、制御プログラムのミスの修正や変更等が容易に行えるものである。
【０１０２】
【発明の効果】
請求項１の発明は、それぞれアドレスが設定された操作端末器及び制御端末器を２線式の信号線を介して伝送ユニットに接続し時分割多重の伝送信号にてデータの送受信を行い、伝送ユニットは、アドレスデータを含む伝送信号を信号線に送出することによって操作端末器及び制御端末器を個別にアクセスし、伝送信号に同期して設定した信号返送期間に、監視入力のあった操作端末器からの監視データを受信すると監視データに基づいて制御データを生成し、監視データを発生した操作端末器とアドレスによる対応関係が予め設定されている制御端末器に対して制御データを伝送して制御端末器に接続された負荷を制御する遠隔監視制御システムに用いられ、負荷の制御時刻及び制御内容を含むデータを入力する入力手段と、入力手段で入力されるデータに基づいて負荷の制御プログラムを作成するプログラム作成手段と、作成された制御プログラム及びサマータイムが適用されるサマータイム期間のデータを記憶する記憶手段と、現在時刻を計時する計時手段と、信号線を介して伝送ユニットとの間で伝送信号を送受信する伝送信号送受信手段と、計時手段から出力される現在時刻データと記憶手段から読み出された制御プログラムに基づいて監視データを逐次発生するとともに伝送信号送受信手段により発生した監視データを信号線に送出させるタイマ制御手段と、計時手段で計時する現在時刻が記憶手段に記憶されたサマータイム期間内である場合に、前記現在時刻をサマータイムに合わせて修正するサマータイム修正手段とを備えたので、タイマ制御手段が逐次発生する監視データを伝送信号送受信手段により信号線に送出させて伝送ユニットに伝送することができるから、接点入力端末器を用いる必要がなくなってコスト並びに設置スペースの削減が図れるという効果があり、さらに、自動的にサマータイムに対応できて使い勝手が向上するという効果がある。
【０１０３】
請求項２の発明は、請求項１の発明において、少なくとも入力手段で入力可能なデータの項目、並びに計時手段で計時する現在時刻を表示する表示手段を備えたので、表示手段の表示を見ながらデータを入力できるために入力手段によるデータの入力作業が容易になるという効果がある。
【０１０４】
請求項３の発明は、請求項２の発明において、表示手段は、液晶デバイスを有する液晶表示部と、液晶表示部を照明するバックライト部とからなるので、表示手段の小型化が可能であり、且つバックライト部で照明することにより液晶表示部の表示が見やすくなるという効果がある。
【０１０５】
請求項４の発明は、請求項３の発明において、表示手段は、液晶表示部における表示が所定時間を経過した後にバックライト部又はバックライト部と液晶表示部の動作を停止させるので、液晶表示部及びバックライト部における電力消費を抑えて省エネ化が図れるという効果がある。
【０１０６】
請求項５の発明は、請求項２の発明において、人体の存否を検知する人体検知手段を備え、表示手段は、人体検知手段により人体が検知された場合に表示を行うので、表示手段における電力消費を抑えて省エネ化が図れるという効果がある。
【０１０７】
請求項６の発明は、請求項１の発明において、地域毎の日の入り時刻並びに日の出時刻のデータが記憶手段に記憶され、プログラム作成手段は、入力手段により指定される地域の日の入り時刻並びに日の出時刻のデータを記憶手段から読み出し、読み出したデータに基づいて制御プログラムを作成するので、明るさセンサ等の他の機器を追加することなしに日の出時刻及び日の入り時刻に応じた負荷制御が可能となり、コスト並びに設置スペースの削減が図れ、しかも、入力手段により地域を指定するだけで当該地域の日の出時刻及び日の入り時刻に応じた制御プログラムが作成されるから、使い勝手が向上するという効果がある。
【０１０８】
請求項７の発明は、請求項６の発明において、プログラム作成手段は、記憶手段から読み出した日の入り時刻並びに日の出時刻のデータを所定の範囲内で調整可能としたので、負荷制御の時刻を日の入り時刻並びに日の出時刻から容易にずらすことができて制御プログラムの作成作業が簡素化できるという効果がある。
【０１１１】
請求項８の発明は、請求項１の発明において、外部機器との間でデータ通信を行って制御プログラムを取り込み、取り込んだ制御プログラムを記憶手段に記憶させるデータ通信手段を備えたので、パーソナルコンピュータのような外部機器で作成した制御プログラムを記憶手段に記憶させることができ、制御プログラムの作成作業が簡素化できるという効果がある。
【０１１２】
請求項９の発明は、請求項１の発明において、記憶手段に記憶した制御プログラムを消去して初期化する初期化手段を備えたので、複数の制御プログラムを個々に消去する手間が省けて制御プログラムの作成作業が簡素化できるという効果がある。
【０１１３】
請求項１０の発明は、請求項１の発明において、プログラム作成手段は、特定の日時に対して負荷の制御時刻及び制御内容が設定される特日プログラムを作成するとともに、入力手段から入力される特日変更コマンドデータに応じて翌日の制御プログラムを特日プログラムに変更するので、特日プログラムの作成作業が簡素化できるという効果がある。
【０１１４】
請求項１１の発明は、請求項１の発明において、制御プログラムの不動作の原因を判定して判定結果を表示手段に表示させるエラー判定手段を備えたので、制御プログラムが不動作になった場合にその原因を早急に知ることができるという効果がある。
【０１１５】
請求項１２の発明は、請求項１の発明において、計時手段による現在時刻の計時を外部で計時する時刻に同期させるための同期信号が入力される同期信号入力手段と、同期信号入力手段に入力する同期信号を外部に出力する同期信号出力手段と、計時手段にて計時する現在時刻を同期信号入力手段から入力される同期信号に同期させる現在時刻同期手段とを備えたので、計時手段で計時される現在時刻の確度が高くなり、さらに、他のプログラムタイマユニットとの間に時間のずれが生じるのを防ぐことができるという効果がある。
【０１１６】
請求項１３の発明は、請求項１２の発明において、同期信号出力手段の出力電流を制限する電流制限手段を備えたので、同期信号を伝送する信号線の短絡などにより過大な電流が流れるのを防ぐことができるという効果がある。
【０１１７】
請求項１４の発明は、請求項１２の発明において、同期信号出力手段から同期信号が出力されたことを検出する同期信号検出手段を備えたので、信号線の短絡により同期信号が伝送されないといった問題が早期に発見できるという効果がある。
【０１１８】
請求項１５の発明は、請求項１４の発明において、表示手段は、同期信号検出手段にて同期信号を検出したか否かを表示するので、同期信号検出手段の検出結果が容易に判断できるという効果がある。
【０１１９】
請求項１６の発明は、請求項１の発明において、外部からの電源供給が停止した場合に計時手段に電源を供給する非常電源供給手段を備えたので、外部からの電源供給が再開したときに現在時刻を調整する必要が無く、使い勝手が向上するという効果がある。
【０１２０】
請求項１７の発明は、請求項１６の発明において、非常電源供給手段の出力電圧を検出して計時手段における現在時刻の計時が正常に行われているか否かを判定する計時判定手段を備えたので、外部からの電源供給停止中に計時手段による計時が確実に行われているか否かが判断できるという効果がある。
【０１２１】
請求項１８の発明は、請求項１の発明において、記憶手段は不揮発性メモリからなるので、外部からの電源供給が停止した場合でも制御プログラムを保持することができるという効果がある。
【０１２２】
請求項１９の発明は、請求項１の発明において、記憶手段から読み出された制御プログラムに基づいて監視データを逐次発生するとともに伝送信号送受信手段により発生した監視データを信号線に送出させて制御プログラムをシミュレーションするシミュレーション手段を備えたので、制御プログラムのシミュレーションを行ってプログラムのミスの修正や変更等が容易に行えるという効果がある。
【０１２３】
請求項２０の発明は、請求項１の発明において、記憶手段に記憶された制御プログラムをコピーするコピー手段を備えたので、制御プログラムの作成作業が簡素化できるという効果がある。
【図面の簡単な説明】
【図１】実施形態１を示す回路ブロック図である。
【図２】同上の正面図である。
【図３】同上の側面図である。
【図４】同上の他の側面図である。
【図５】同上の背面図である。
【図６】同上におけるバックアップ回路部の具体回路図である。
【図７】同上における同期信号入力部の具体回路図である。
【図８】同上における同期信号出力部の具体回路図である。
【図９】同上における液晶表示部の画面表示を説明する説明図である。
【図１０】同上を用いた遠隔監視制御システムのシステム構成図である。
【図１１】同上における制御プログラムを説明する説明図である。
【図１２】同上の動作説明図である。
【図１３】同上の動作説明図である。
【図１４】同上の動作説明図である。
【図１５】同上における同期信号の入出力動作を説明するフローチャートである。
【図１６】同上における同期信号の入出力動作を説明するタイミングチャートである。
【図１７】実施形態２を示す回路ブロック図である。
【図１８】同上におけるシミュレーション動作を説明するフローチャートである。
【図１９】従来例を用いた遠隔監視制御システムのシステム構成図である。
【図２０】遠隔監視制御システムに用いる伝送信号の説明図である。
【符号の説明】
１  操作スイッチ部
２  マイクロコンピュータ
３  メモリ
４  リアルタイムクロック
５  伝送信号送受信回路
８  液晶表示部
【図１】
0003757838.tif 000002
【図２】
0003757838.tif 000003
【図３】
0003757838.tif 000004
【図４】
0003757838.tif 000005
【図５】
0003757838.tif 000006
【図６】
0003757838.tif 000007
【図７】
0003757838.tif 000008
【図８】
0003757838.tif 000009
【図９】
0003757838.tif 000010
【図１０】
0003757838.tif 000011
【図１１】
0003757838.tif 000012
【図１２】
0003757838.tif 000013
【図１３】
0003757838.tif 000014
【図１４】
0003757838.tif 000015
【図１５】
0003757838.tif 000016
【図１６】
0003757838.tif 000017
【図１７】
0003757838.tif 000018
【図１８】
0003757838.tif 000019
【図１９】
0003757838.tif 000020
【図２０】
0003757838.tif 000021